(57)【特許請求の範囲】
【請求項１】
側板(1)と端板(2)とを稜部を介し各一対連設して周壁を形成し、側板(1)及び端板(2)の下端からそれぞれ底側板(4)及び底端板(5)を延出し、底側板(4)の一端部に折畳用の角折線(6)を設け、扁平な折畳状態から周壁を角筒状に形成すると、底側板(4)同士が先端側の噛合部(8)で噛み合って底組みされ、噛合部(8)に設けられた舌片(10)が斜折線(9)に沿って屈伸しつつ互いに他方の底側板(4)に乗り上げて、噛合部(8)の分離が阻止されるワンタッチ底組式段ボール箱において、
前記舌片(10)の外端縁に、噛合端側へかけて後退するように斜めに切断した傾斜縁(11)を形成し、舌片(10)の噛合端側に、傾斜縁(11)から連続する膨出部を形成すると共に、膨出部から底側板(4)へ至る直線状の噛合縁(8a)を形成し、前記底側板(4)に、噛合縁(8a)の延長線上に延びるように、舌片(10)の噛合端側からその底側板(4)の基端側へ向けて誘導切目(12)を入れ、
底組み時に舌片(10)同士が当接すると、傾斜縁(11)に沿って舌片(10)同士が滑りつつ斜折線(9)に沿って折れ曲がり、噛合部(8)の噛み合いに伴い、舌片(10)の折れ曲がりが復元するようにしたことを特徴とするワンタッチ底組式段ボール箱。
【発明の詳細な説明】
【技術分野】
【０００１】
この発明は、様々な商品の包装に使用可能で、折り畳んだ状態から即時に組み立てることができるワンタッチ底組式段ボール箱に関するものである。
【背景技術】
【０００２】
従来、ワンタッチ式の箱底として、下記特許文献１には、図７及び図８に示すようなものが記載されている。この箱のブランクでは、図７に示すように、側板５１と端板５２とが稜部の罫線を介し隣り合うように各一対交互に並び、一方の側板５１の外側端には継代片５３が連設され、各側板５１の下端には底側板５４が、各端板５２の下端には底端板５５がそれぞれ連設されている。
【０００３】
各底側板５４の一端には、底面のコーナーへ向かう斜め方向の角折線５６を介して固着片５７が連設され、各底側板５４の先端中央部には、切込を入れて噛合部５８が設けられている。噛合部５８には、底側板５４の先端縁から噛合部５８の奥側へ至る斜折線５９を介して舌片６０が設けられ、舌片６０の外端縁は先端側が迫り出すように傾斜している。
【０００４】
この箱を製造する際には、ブランクを折り重ねることにより、継代片５３を反対側の端板５２の裏面に貼り付けて、周壁となる部分を形成すると共に、底側板５４及び底端板５５を上方へ折り曲げ、固着片５７を角折線５６に沿って折り返し、底端板５５に貼り付けて、扁平な折畳状態としておく。
【０００５】
そして、組み立てに際し、図８に示すように、扁平な折畳状態から周壁を角筒状に形成すると、底側板５４同士が噛合部５８で噛み合って底組みされる。このとき、舌片６０を斜折線５９に沿って一旦上方へ折り曲げ、噛合部５８を噛み合わせた後、舌片６０を復元させ、互いに他方の底側板５４に乗り上げさせて、噛合部５８の分離を阻止する。
【０００６】
このように箱底を有する箱で商品を包装すると、外部から底側板５４を押して、底側板５４の先端部間に隙間を開け、箱内の商品を抜き取ろうとしても、底側板５４の噛合部５８での噛み合わせを解除することができず、隙間を開けることができないので、商品の抜き取りを防止することができる。
【先行技術文献】
【特許文献】
【０００７】
【特許文献１】実開昭６２−１１３０１５号公報
【発明の概要】
【発明が解決しようとする課題】
【０００８】
しかしながら、撓ませて底組みし難い剛性の高い段ボール箱で上記のような箱底を採用すると、組み立てに際し、一対の舌片６０を手で折り曲げつつ、周壁を角筒状としなければならず、作業性がよくないという問題がある。
【０００９】
そこで、この発明は、ワンタッチ底組式の段ボール箱を、防犯性を維持しつつ、簡単に組み立てられるようにすることを課題とする。
【課題を解決するための手段】
【００１０】
上記課題を解決するため、この発明は、側板と端板とを稜部を介し各一対連設して周壁を形成し、側板及び端板の下端からそれぞれ底側板及び底端板を延出し、底側板の一端部に折畳用の角折線を設け、扁平な折畳状態から周壁を角筒状に形成すると、底側板同士が先端側の噛合部で噛み合って底組みされ、噛合部に設けられた舌片が斜折線に沿って屈伸しつつ互いに他方の底側板に乗り上げて、噛合部の分離が阻止されるワンタッチ底組式段ボール箱において、前記舌片の外端縁に、噛合端側へかけて後退するように斜めに切断した傾斜縁を形成し、底組み時に舌片同士が当接すると、傾斜縁に沿って舌片同士が滑りつつ斜折線に沿って折れ曲がり、噛合部の噛み合いに伴い、舌片の折れ曲がりが復元するようにしたのである。
【００１１】
また、前記底側板に、舌片の噛合端側からその底側板の基端側へ向けて誘導切目を入れたのである。
【発明の効果】
【００１２】
この発明に係るワンタッチ底組式段ボール箱では、扁平な折畳状態から周壁を角筒状とするだけで、一対の舌片が自動的に折れ曲がり、噛合部の噛み合い後に復元するので、舌片を手で折り曲げる必要がなく、簡単に底組みすることができる。
【００１３】
そして、その組立状態で、舌片により噛合部の分離が阻止されて、商品の抜き取りが防止され、確実な防犯性が得られる。
【００１４】
また、底側板に舌片の噛合端側から誘導切目を入れたことにより、噛合部の噛み合いを無理に外そうとすると、誘導切目から底側板が破断し、商品を抜き取ろうとした痕跡が明確に残るため、流通過程での犯罪を検知することができる。
【図面の簡単な説明】
【００１５】
【図１】この発明に係るワンタッチ底組式段ボール箱のブランクを示す図
【図２】同上の底側板の噛合部周辺を示す拡大図
【図３】同上の製箱時の折畳状態を示す図
【図４】同上の組立過程を示す底面側からの斜視図
【図５】同上の底組状態を示す上方からの横断平面図
【図６】同上の噛合部の噛み合いを外そうとした痕跡を示す底面側からの斜視図
【図７】従来のワンタッチ底組式段ボール箱のブランクを示す図
【図８】同上の底組状態を示す上方からの斜視図
【発明を実施するための形態】
【００１６】
以下、この発明の実施形態を添付図面に基づいて説明する。
【００１７】
この段ボール箱は、図１に示すようなブランクから形成される。このブランクでは、側板１と端板２とが稜部の罫線を介し隣り合うように各一対交互に並び、一方の側板１の外側端には罫線を介して継代片３が連設され、各側板１の下端には底側板４が、各端板２の下端には底端板５がそれぞれ罫線を介して連設されている。
【００１８】
各側板１の上端には蓋側板２１が、各端板２の上端には蓋端板２２がそれぞれ罫線を介して連設され、蓋側板２１には、解体用の繋部付き切目線２３が入れられている。
【００１９】
各底側板４の一端には、底面のコーナーへ向かう斜め方向の角折線６を介して固着片７が連設され、各底側板４の先端中央部には、段差部分に噛合部８が設けられている。噛合部８には、底側板４の先端縁から噛合部８の奥側へ至る斜折線９を介して舌片１０が設けられている。
【００２０】
角折線６は、段ボールの裏面から入れられた他の罫線とは逆に、段ボールの表面から入れられ、斜折線９は、他の罫線と同様、段ボールの裏面から入れられている。このため、段ボールは、表面から見て、折畳時に角折線６に沿って谷折りされ、底組みに際し、斜折線９に沿って山折り方向に折れ曲がる。
【００２１】
そして、舌片１０の外端縁には、噛合端側へかけて後退するように斜めに切断した傾斜縁１１が形成され、底側板４には、舌片１０の噛合端側からその底側板４の基端側へ向けて誘導切目１２が入れられている。
【００２２】
ここで、図２に示すように、底側板４の先端縁と傾斜縁１１とのなす角αの大きさは、５°以上であって、底側板４の先端縁と斜折線９とのなす角よりも５°以上小さい範囲とするのがよい。
【００２３】
この段ボール箱を製造する際には、図３に示すように、ブランクを折り重ね、継代片３を反対側の端板２の裏面に貼り付けて、周壁となる部分を形成すると共に、底側板４及び底端板５を上方へ折り曲げ、固着片７を角折線６に沿って折り返し、底端板５に貼り付けて、扁平な折畳状態とし、この折畳状態で段ボール箱を保管しておく。
【００２４】
いま、このような段ボール箱を折畳状態から組み立てる際、図４に示すように、各一対の側板１及び端板２から成る周壁を角筒状に形成すると、対向する底側板４の舌片１０同士が当接し、傾斜縁１１に沿って舌片１０同士が滑りつつ、斜折線９に沿って自動的に折れ曲がる。
【００２５】
そして、図５に示すように、側板１と端板２とがなす稜部が直角となったとき、対向する底側板４の噛合部８が噛み合って底組みされ、これに伴い、舌片１０の折れ曲がりが段ボールの弾性により復元し、舌片１０が互いに他方の底側板４に乗り上げて、噛合部８の分離が阻止される。
【００２６】
このように底組みした後、箱内に商品を収納し、蓋端板２２及び蓋側板２１を順次内側へ折り曲げて、ホットメルト接着剤等で貼り合わせ、又は、粘着テープで固着することにより、段ボール箱を封緘する。
【００２７】
上記のように、この段ボール箱では、扁平な折畳状態から周壁を角筒状とするだけで、一対の舌片１０が自動的に折れ曲がり、噛合部８の噛み合い後に復元するので、舌片１０を手で折り曲げる必要がなく、簡単に底組みすることができる。
【００２８】
そして、その組立状態で、舌片１０により噛合部８の分離が阻止されて、商品の抜き取りが防止され、確実な防犯性が得られる。
【００２９】
また、図６に示すように、底側板４に舌片１０の噛合端側から誘導切目１２を入れたことにより、噛合部８の噛み合いを無理に外そうとすると、誘導切目１２から底側板４が破断して裂目Ｃが走り、商品を抜き取ろうとした痕跡が明確に残るため、流通過程での犯罪を検知することができる。
【符号の説明】
【００３０】
１  側板
２  端板
３  継代片
４  底側板
５  底端板
６  角折線
７  固着片
８  噛合部
９  斜折線
１０  舌片
１１  傾斜縁
１２  誘導切目
２１  蓋側板
２２  蓋端板
２３  切目線
Ｃ  裂目
【図１】
0005547503.tif 000002
【図２】
0005547503.tif 000003
【図３】
0005547503.tif 000004
【図４】
0005547503.tif 000005
【図５】
0005547503.tif 000006
【図６】
0005547503.tif 000007
【図７】
0005547503.tif 000008
【図８】
0005547503.tif 000009